(57)【要約】      （修正有）【課題】押動方向の前部の開口から除雪器体内への雪取込作業を行い、除雪器体を傾けることにより押動方向の後部の開口を介して除雪器体内の雪を屋根上から落下させることができ、除雪器体の反転作業が不要となり、除雪器体の反転に伴う屋根上作業の危険性を回避することができる手押し除雪具を提供する。【解決手段】底板１ａ及び左右の側板１ｂ・１ｂからなり、押動方向Ｔの前部及び後部が開口Ｑ・Ｒした構造の除雪器体１と、除雪器体に押動方向の前方斜め上方及び後方斜め上方に向けて突設した前後一対のハンドル２・２とからなる。【選択図】図１
0003168523.tif 000002
【実用新案登録請求の範囲】
【請求項１】
底板及び左右の側板からなり、押動方向の前部及び後部が開口した構造の除雪器体と、該除雪器体に押動方向の前方斜め上方及び後方斜め上方に向けて突設した前後一対のハンドルとからなることを特徴とする手押し除雪具。
【請求項２】
上記底板の上面に底板上の雪の横流れを防ぐ横流れ防止部を設けてなることを特徴とする請求項１記載の手押し除雪具。
【請求項３】
上記底板の底面に上記雪上面に係止して上記除雪器体の横滑りを防ぐ横滑り防止部を設けてなることを特徴とする請求項１又は２記載の手押し除雪具。
【請求項４】
上記底板の前部及び後部の上面に上記押動方向に直交する方向に延びる雪止め部を設けてなることを特徴とする請求項１〜３のいずれか１項に記載の手押し除雪具。
【請求項５】
上記底板に補強条部を設けてなることを特徴とする請求項１〜４のいずれか１項に記載の手押し除雪具。
【考案の詳細な説明】
【技術分野】
【０００１】
本考案は、例えば建物の屋根上の除雪作業に用いられる手押し除雪具に関するものである。
【背景技術】
【０００２】
従来、この種の除雪具として、底板、左右の側板及び後板からなり、押動方向の前部が開口した構造の除雪器体と、該除雪器体に押動方向の後方斜め上方に向けて突設したハンドルとからなる構造のものが知られている。
【先行技術文献】
【特許文献】
【０００３】
【特許文献１】実開昭６２−１８１６１６号公報
【特許文献２】実開昭６３−６５７２１号公報
【考案の概要】
【考案が解決しようとする課題】
【０００４】
しかしながら、屋根除雪をしようとする建物と、これに隣接する道路との離間位置関係、或いは、隣の建物との敷地の境界関係によっては、屋根上の雪を落とす地上の落下位置が限られてしまうことがあり、例えば、切妻構造の屋根において、屋根勾配に平行な平側へ雪を落とすことができなかったり、これに加えて、屋根勾配に直交する両方の妻側のうちの一方の妻側にしか落とすことができないような場合があり、このような除雪条件にあっては、除雪器体を屋根勾配に直交する屋根の大棟に平行な方向への押動操作やスコップを用いた雪投入作業による除雪器体内への雪取込作業、除雪器体の押動操作による運搬作業及び除雪器体の傾けによる屋根上からの落雪作業の繰り返しを行うことになり、この際、上記のように、屋根勾配に直交する両方の妻側のうちの一方の妻側にしか落とすことができないような場合にあっては、除雪器体の押動や雪投入による除雪器体内への雪取込作業後に、除雪器体全体を一方の妻側に向けて反転させる必要があり、除雪器体を１８０度反転させた後、除雪器体の押動による運搬作業及び除雪器体の傾けによる屋根上からの落下作業の繰り返しを行うことになり、この押動方向は屋根勾配に直交する方向であるから、除雪器体の反転作業は困難であるとともに危険性を伴うことがあり、それだけ、除雪作業能率を低下させることがあるという不都合を有している。
【課題を解決するための手段】
【０００５】
本考案はこれらの不都合を解決することを目的とするもので、本考案のうちで、請求項１記載の考案は、底板及び左右の側板からなり、押動方向の前部及び後部が開口した構造の除雪器体と、該除雪器体に押動方向の前方斜め上方及び後方斜め上方に向けて突設した前後一対のハンドルとからなることを特徴とする手押し除雪具にある。
【０００６】
又、請求項２記載の考案は、上記底板の上面に底板上の雪の横流れを防ぐ横流れ防止部を設けてなることを特徴とするものであり、又、請求項３記載の考案は、上記底板の底面に上記雪上面に係止して上記除雪器体の横滑りを防ぐ横滑り防止部を設けてなることを特徴とするものである。
【０００７】
又、請求項４記載の考案は、上記底板の前部及び後部の上面に上記押動方向に直交する方向に延びる雪止め部を設けてなることを特徴とするものであり、又、請求項５記載の考案は、上記底板に補強条部を設けてなることを特徴とするものである。
【考案の効果】
【０００８】
本考案は上述の如く、請求項１記載の考案にあっては、屋根上の除雪に際し、除雪器体を雪上に設置し、一方のハンドルを握持し、除雪器体の押動作業やスコップを用いた雪投入作業により除雪器体内への雪取込作業を行い、除雪器体を押動して運搬作業を行い、屋根の端部において、除雪器体を傾けることにより除雪器体内の雪を屋根上から落下させ、この作業の繰り返しにより屋根上の除雪作業を行うことになり、この際、屋根除雪をしようとする建物と、これに隣接する道路との離間位置関係、或いは、隣の建物との敷地の境界関係により、屋根上の雪を落とす地上の落下位置が限られ、例えば、切妻構造の屋根において、屋根勾配に平行な平側へ雪を落とすことができなかったり、これに加えて、屋根勾配に直交する両方の妻側のうちの一方の妻側にしか落とすことができないような場合、一方のハンドルを握持し、除雪器体の押動作業やスコップを用いた雪投入作業により押動方向の前部の開口から除雪器体内への雪取込作業を行い、雪取込後、除雪器体をその位置のままにして作業者が除雪器体の反対側に移動し、他方のハンドルを握持し、除雪器体を押動方向とは反対方向に押動して運搬作業を行い、屋根の妻側の端部において、除雪器体を傾けることにより押動方向の後部の開口を介して除雪器体内の雪を屋根上から落下させることができ、除雪器体の反転作業が不要となり、除雪器体の反転に伴う屋根上作業の危険性を回避することができ、除雪作業能率を向上することができる。
【０００９】
又、請求項２記載の考案にあっては、上記底板の上面に底板上の雪の横流れを防ぐ横流れ防止部を設けているから、底板上での雪の横流れを防ぐことができ、雪の横流れによる除雪器体内からの雪のこぼれ落ちや雪の偏位に伴う押動の不安定さを回避することができ、又、請求項３記載の考案にあっては、上記底板の底面に上記雪上面に係止して上記器体の横滑りを防ぐ横滑り防止部を設けてなるから、除雪器体の横滑りを防ぐことができ、除雪器体の押動を円滑に行うことができ、除雪作業の能率を向上することができる。
【００１０】
又、請求項４記載の考案にあっては、上記底板の前部及び後部の上面に上記押動方向に直交する方向に延びる雪止め部を設けてなるから、除雪器体内からの雪のこぼれ落ちを防ぐことができ、又、請求項５記載の考案にあっては、上記底板に補強条部を設けてなるから、除雪器体の剛性を高めることができる。
【図面の簡単な説明】
【００１１】
【図１】本考案の実施の形態例の全体斜視図である。
【図２】本考案の実施の形態例の全体側面図である。
【図３】本考案の実施の形態例の全体平面図である。
【図４】本考案の実施の形態例の中央部分断面図である。
【図５】本考案の実施の形態例の使用状態の部分横断面図である。
【図６】本考案の実施の形態例の使用状態図である。
【図７】本考案の実施の形態例の使用状態図である。
【考案を実施するための形態】
【００１２】
図１乃至図７は本考案の実施の形態例を示し、１は除雪器体であって、この場合、金属板製にして、底板１ａ及び左右の側板１ｂ・１ｂからなり、押動方向Ｔの前部及び後部が開口Ｑ・Ｒした構造の全体として略樋状に形成され、この除雪器体１に前後一対の略コ状のハンドル２・２の端部側を溶接して押動方向Ｔの前方斜め上方及び後方斜め上方に向けてハンドル２・２を突設して構成している。
【００１３】
３は横流れ防止部であって、この場合、Ｌ形状の長尺材からなり、上記底板１ａの上面中央部に図示省略のリベットや溶接により押動方向Ｔに延びて固着され、除雪器体１の押動方向Ｔを屋根勾配方向Ｋと直交する方向に配置したとき、この横流れ防止部３により屋根勾配により傾くことにより生ずる底板１ａ上の雪Ｓの屋根勾配方向Ｋへの横流れを防ぐように構成している。
【００１４】
４・４は横滑り防止部であって、この場合、Ｌ形状の長尺材からなり、上記底板１ａの底面左右部分に図示省略のリベットや溶接により押動方向Ｔに延びて固着され、除雪器体１の押動方向Ｔを屋根勾配方向Ｋと直交する方向に配置したとき、この横滑り防止部４が雪Ｓ上面に係止して屋根勾配により傾くことにより生ずる除雪器体１の屋根勾配方向Ｋへの横滑りを防ぐように構成している。
【００１５】
５・５は雪止め部であって、この場合、Ｌ形状の長尺材からなり、上記底板１ａの前部及び後部の上面に図示省略のリベットや溶接により上記押動方向Ｔと直交する方向に延びて固着され、除雪器体１内からの雪Ｓのこぼれ落ちを防ぐように構成している。
【００１６】
６・６は補強条部であって、上記底板１ａにその上面から底面側へ凹条の形状に形成され、この凹条の形状により底板１ａの剛性を高めるようにしている。
【００１７】
７は雪切り縁部であって、上記左右の側板１ｂ・１ｂの押動方向Ｔの前縁部に形成され、除雪器体１の押動により雪Ｓを取り込む際に雪切り縁部７で雪Ｓを切截するように構成している。
【００１８】
この実施の形態例は上記構成であるから、屋根Ｍ上の除雪に際し、除雪器体１を雪Ｓ上に設置し、一方のハンドル２を握持し、除雪器体１の押動やスコップを用いた雪Ｓ投入により除雪器体１内への雪Ｓ取込作業を行い、除雪器体１を押動して運搬作業を行い、屋根Ｍの妻側の端部において、除雪器体１を傾けることにより除雪器体１内の雪Ｓを屋根Ｍ上から落下させ、この作業の繰り返しにより屋根Ｍ上の除雪作業を行うことになる。
【００１９】
この際、屋根Ｍ除雪をしようとする建物と、これに隣接する道路との離間位置関係、或いは、隣の建物との敷地の境界関係により、屋根Ｍ上の雪Ｓを落とす地上の落下位置が限られ、例えば、図６に示すような切妻構造の屋根Ｍにおいて、屋根勾配に平行な平側Ｈへ雪Ｓを落とすことができなかったり、これに加えて、屋根勾配に直交する両方の妻側Ｆ・Ｆのうちの一方の妻側Ｆにしか落とすことができないような場合、一方のハンドル２を握持し、除雪器体１の押動作業やスコップを用いた雪Ｓ投入作業により押動方向Ｔの前部の開口Ｑから除雪器体１内への雪Ｓ取込作業を行い、雪Ｓ取込後、図７の如く、除雪器体１をその位置のままにして作業者が除雪器体１の反対側に移動し、他方のハンドル２を握持し、除雪器体１を押動方向Ｔとは反対方向に押動して運搬作業を行い、屋根Ｍの妻側の端部において、除雪器体１を傾けることにより押動方向Ｔの後部の開口Ｒを介して除雪器体１内の雪Ｓを屋根Ｍ上から落下させることができ、除雪器体１の反転作業が不要となり、除雪器体１の反転に伴う屋根Ｍ上作業の危険性を回避することができ、除雪作業の能率を向上することができる。
【００２０】
この場合、上記底板１ａの上面に底板１ａ上の雪Ｓの横流れを防ぐ横流れ防止部３を設けているから、図５に示す如く、底板１ａ上での雪Ｓの横流れを防ぐことができ、雪Ｓの横流れによる除雪器体１内からの雪Ｓのこぼれ落ちや雪Ｓの偏位に伴う押動の不安定さを回避することができ、又、この場合、上記底板１ａの底面に上記雪Ｓ上面に係止して上記器体１の横滑りを防ぐ横滑り防止部４を設けてなるから、図５に示す如く、除雪器体１の横滑りを防ぐことができ、除雪器体１の押動を円滑に行うことができ、除雪作業能率を向上することができる。
【００２１】
又、この場合、上記底板１ａの前部及び後部の上面に上記押動方向Ｔに直交する方向に延びる雪止め部５を設けてなるから、除雪器体１内からの雪Ｓのこぼれ落ちを防ぐことができ、又、この場合、上記底板１ａに補強条部６を設けてなるから、除雪器体１の剛性を高めることができる。
【００２２】
尚、本考案は上記実施の形態例のものに限られず、例えば、除雪器体１、一対のハンドル２・２、横流れ防止部３、横滑り防止部４、雪止め部５、補強条部６の構造や数、配置位置等は適宜変更して設計され、例えば、除雪器体、ハンドルを合成樹脂製としたり、雪止め部５をゴム等の材質とすることもあり、その他部材の材質も適宜変更して設計されるものである。
【００２３】
以上の如く、所期の目的を充分達成することができる。
【符号の説明】
【００２４】
Ｔ    押動方向
Ｓ    雪
１    除雪器体
１ａ    底板
１ｂ    側板
２    ハンドル
３    横流れ防止部
４    横滑り防止部
５    雪止め部
６    補強条部
【図１】
0003168523.tif 000003
【図２】
0003168523.tif 000004
【図３】
0003168523.tif 000005
【図４】
0003168523.tif 000006
【図５】
0003168523.tif 000007
【図６】
0003168523.tif 000008
【図７】
0003168523.tif 000009